(57)【特許請求の範囲】
【請求項１】
スキー場のゲレンデにゲーム用滑降コースを設定し、
そのスタート地点に設けられた料金投入機及びそれにコイン又はトークン等による料金の投入がなされるとスタートゲートバー等の閉柵部材の開柵が可能になり、スキーヤが該閉柵部材を開柵して通過するとゲーム開始信号を中央制御装置に発信するスタートゲートと、
前記ゲーム用滑降コースの最終ゴール地点に設けられ、複数の表示部を列設し、その各表示部にそれぞれ数字，文字，記号あるいは絵をスロットマシンのように順次変化させて表示する入賞表示装置を備えたゴールゲートと、
そのゴールゲートに近接して設置され、入賞者に報賞のメダル又はトークンを払い出すメダル／トークン払出機と、
前記ゲーム用滑降コースの前記スタートゲートからゴールゲート迄の間の複数箇所に配設され、それぞれスキーヤの通過を感知してその通過信号を前記中央制御装置に発信するセンサスタンドと、
前記スタートゲートからゲーム開始信号を受信すると前記入賞表示装置に各表示部の表示変化を開始させ、その後前記各センサスタンドから通過信号を受信する毎に前記入賞表示装置に各表示部の表示変化を順次停止させて、最終のセンサスタンドからの通過信号を受信した時に全ての表示部の表示変化を停止させ、その時の各表示部の表示の組み合わせを予め設定した入賞の数字，文字，記号あるいは絵の組み合せと照合し、一致した場合に所定の報賞のメダル又はトークンを前記メダル／トークン払出機より払い出させるように、一連の動作を集中管理する中央制御装置と、
から成ることを特徴とするスキーゲームシステム。
【請求項２】
スキー場のゲレンデにゲーム用滑降コースを設定し、
そのスタート地点に設けられた料金投入機及びそれにコイン又はトークン等による料金の投入がなされるとスタートゲートバー等の閉柵部材の開柵が可能になり、スキーヤが該閉柵部材を開柵して通過するとゲーム開始信号を中央制御装置に発信するスタートゲートと、
前記ゲーム用滑降コースの最終ゴール地点に設けられ、複数の表示部を列設し、その各表示部にそれぞれ数字，文字，記号あるいは絵をスロットマシンのように順次変化させて表示する入賞表示装置を備えたゴールゲートと、
そのゴールゲートに近接して設置され、入賞者に報賞のメダル又はトークンを払い出すメダル／トークン払出機と、
前記ゲーム用滑降コースの前記スタートゲートからゴールゲート迄の間の１箇所に設置され、スキーヤの通過を感知してその通過信号を前記中央制御装置に発信するセンサスタンドと、
前記スタートゲートからゲーム開始信号を受信すると前記入賞表示装置に各表示部の表示変化を開始させ、その後前記センサスタンドから通過信号を受信すると前記入賞表示装置に各表示部の表示変化を全て停止させ、その時の各表示部の表示の組み合わせを予め設定した入賞の数字，文字あるいは絵の組み合せと照合し、一致した場合に所定の報賞のメダル又はトークンを前記メダル／トークン払出機より払い出させるように、一連の動作を集中管理する中央制御装置と、
から成ることを特徴とするスキーゲームシステム。
【請求項３】
前記ゴールゲートを門柱型とし、その上部に前記入賞表示装置として複数の表示部を有する大型電光表示板を配備し、その各表示部を構成する多数の電光表示用コンポーネントを駆動回路によって駆動して、該各表示部にそれぞれ数字，文字，記号あるいは絵を順次変化させて表示するようにした請求項１又は２記載のスキーゲームシステム。
【請求項４】
前記ゴールゲートを門柱型とし、その上部に前記入賞表示装置として、各々独立して回転し、その外周面にそれぞれ一連の異なる数字，文字，記号あるいは絵を表記した大型の回転ドラムを複数個並べて配設した回転ドラム型表示装置を配備した請求項１又は２記載のスキーゲームシステム。
【請求項５】
前記ゴールゲートを門柱型とし、その前記入賞表示装置として、上部に各々独立して回転し、その外周面に沿ってそれぞれ一連の異なる数字，文字，記号あるいは絵を打ち抜いた大型の円筒状回転ドラムを複数個並べて配設し、その各回転ドラムの中心部にそれぞれ強い光を放つ発光体を設けた回転ドラム型表示装置を配備した請求項１又は２記載のスキーゲームシステム。
【請求項６】
前記ゴールゲート付近の滑降して来たスキーヤからよく見える場所に、前記入賞表示装置として、前記複数の表示部となる大型の１枚あるいは複数枚を列設したスクリーンと、そのスクリーンの各表示部上にそれぞれ一連の異なる数字，文字，記号あるいは絵を順次変化させて投影可能な複数の投影装置とから成る投影型表示装置を配備した請求項１又は２記載のスキーゲームシステム。
【請求項７】
前記スタートゲートに、コイン又はトークンの他に紙幣あるいはプリペードカードによる料金投入が可能な料金投入機を配備した請求項１乃至６のいずれか一項に記載のスキーゲームシステム。
【請求項８】
請求項１乃至７のいずれか一項に記載のスキーゲームシステムにおいて、前記ゴールゲートの上部あるいは前記入賞表示装置の周囲に、入賞時に点滅点灯する点滅灯を多数配列したことを特徴とするスキーゲームシステム。
【発明の詳細な説明】
【０００１】
【発明の属する技術分野】
この発明は、スキー場のゲレンデに設置するスキーゲームシステムに関するものである。
【０００２】
【従来の技術】
従来、スキー場は一般にスキー客をリフト等でゲレンデの高所に運び上げ、滑降させる場だけの施設を提供するものであった。
また、スキー場においてスキーヤに多少のゲーム性を提供するものとしては、例えば米国等において、ゲレンデにスキー回転競技に似た旗竿を立てたジグザグ滑降コースを設け、料金を払ったスキーヤにそのコースを滑降させ、スタートからゴール迄の滑降タイムを競わせ、予め設定した時間（秒数）以内で滑り切った者に報賞を出すスキーゲーム方式が確認されている。
しかし、これはスキー競技に近いものであり、入賞の可能性はスキーの技倆によって殆ど決まってしまうため、多くのスキーヤが技倆の優劣に係わらず誰でも同様に楽しめるものではなく、娯楽性と射幸性に乏しいものであつた。
【０００３】
【発明が解決しようとする課題】
この発明は上述のような現状に鑑みてなされたものであり、スキー場のゲレンデに設置することにより、多くのスキーヤがその技倆の優劣に係わらず同様に楽しめる、娯楽性と射幸性に富んだスキーゲームを実現することのできるスキーゲームシステムを提供することを目的とする。
すなわちこの発明は、スキー客に娯楽性とスロットマシン型の射幸性に富んだ楽しみを与え、経営的にも営業種目に多様性を持たせて、利用客の増加と収益の向上を目指すものである。
【０００４】
【課題を解決するための手段】
この発明は上記の目的を達成するため、スキー場のゲレンデにゲーム用滑降コースを設定し、そのスタート地点にコイン／トークン投入機等の料金投入機及びスタートゲートを、最終ゴール地点に入賞表示装置を備えたゴールゲートとメダル／トークン払出機を、スタートゲートからゴールゲート迄の間の複数箇所にセンサスタンドをそれぞれ設置し、それらの一連の動作を集中管理する中央制御装置を設けたスキーゲームシステムを提供するものである。
【０００５】
そのスタートゲートは、料金投入機にコイン又はトークン等による料金が投入されるとスタートゲートバー等の閉柵部材の開柵が可能になり、スキーヤがその閉柵部材を開柵して通過するとゲーム開始信号を中央制御装置に発信する。
入賞表示装置は、複数の表示部を列設し、その各表示部にそれぞれ数字，文字，記号あるいは絵をスロットマシンのように順次変化させて表示する。
メダル／トークン払出機は、ゴールゲートに近接して設置され、入賞者に報賞のメダル又はトークンを払い出す。
複数箇所に設置されるセンサスタンドは、それぞれスキーヤの通過を感知してその通過信号を中央制御装置に発信する。
【０００６】
中央制御装置は、スキー場の管理棟あるいは事務室内などに設置され、上記スタートゲートからゲーム開始信号を受信すると上記入賞表示装置に各表示部の表示変化を開始させ、その後上記各センサスタンドから通過信号を受信する毎に入賞表示装置に各表示部の表示変化を順次停止させて、最終のセンサスタンドからの通過信号を受信した時に全ての表示部の表示変化を停止させ、その時の各表示部の表示の組み合わせを予め設定した入賞の数字，文字，記号あるいは絵の組合せと照合し、一致した場合に所定の報賞のメダル又はトークンを上記メダル／トークン払出機より払い出させるように、一連の動作を集中管理する。
【０００７】
このようなスキーゲームシステムによれば、ゲーム参加者がスタートゲートの近傍に設置された料金投入機に所定のコイン又はトークンを投入すると、スタートゲートバーのような閉柵部材の開柵が可能になるので、それを開柵して滑降コースに入ると、ゲーム開始信号が中央制御装置に発信される。
それによって、中央管理装置がゴールゲートに備えた入賞表示装置を始動させ、その各表示部の数字，文字，記号あるいは絵の表示がスロットマシンのように変り始める。
【０００８】
そして、そのゲーム参加者がゲーム用滑降コースを滑降する途中で各センサスタンド前を通過する度に、そのセンサスタンドから中央制御装置に通過信号が発信され、中央制御装置がそれを受信する度に入賞表示装置の各表示部の表示変化を順次停止させて行き、ゲーム参加者が最終のセンサスタンド前を通過した時に入賞表示装置の全ての表示部の表示変化が停止する。
その時の各表示部の表示の組み合わせが、予め設定した入賞の数字，文字，記号あるいは絵の組合せと一致したか否かを中央制御装置が判定して、一致したと判定するとメダル／トークン払出機に所定の報賞のメダル又はトークンを払い出させるか、その準備をさせる。
【０００９】
したがって、入賞者はその払い出された報賞のメダル又はトークンを受け取り、その獲得数に応じて好みの景品と交換したり、再度このスキーゲームに参加するのに使用することができる。
なお、中央制御装置が入賞と判定した時に、ゴールゲートの上部あるいは入賞表示装置の周囲に設けた一色あるいは複数色の多数の点滅灯を点滅させて、入賞を華やかに知らせるようにすれば、雰囲気を盛り上げて娯楽性を一層高めることができる。
【００１０】
また、上記スキーゲームシステムを一部変更して、上記ゲーム用滑降コースのスタートゲートからゴールゲート迄の間の１箇所のみに、スキーヤの通過を感知してその通過信号を中央制御装置に発信するセンサスタンドを設置し、中央制御装置がそのセンサスタンドから通過信号を受信した時、上記入賞表示装置の各表示部の表示変化を全て停止させ、その時の各表示部の表示の組み合わせを予め設定した入賞の数字，文字，記号あるいは絵の組合せと照合するようにしてもよい。
【００１１】
上記ゴールゲートを門柱型とし、その上部に入賞表示装置として複数の表示部を有する大型電光表示板を配備し、その各表示部を構成する多数の電光表示用コンポーネントを駆動回路によって駆動して、該各表示部にそれぞれ数字，文字，記号あるいは絵を順次変化させて表示するようにすることができる。
【００１２】
同様に上記ゴールゲートを門柱型とし、その上部に入賞表示装置として、各々独立して回転し、その外周面にそれぞれ一連の異なる数字，文字，記号あるいは絵を表記した大型の回転ドラムを複数個並べて配設した回転ドラム型表示装置を配備してもよい。
【００１３】
あるいは、その各回転ドラムを外周面に沿ってそれぞれ一連の異なる数字，文字，記号あるいは絵を打ち抜いた大型の円筒状回転ドラムにして、その各回転ドラムの中心部にそれぞれ強い光を放つ発光体を設け、その透過光によって各回転ドラムの打ち抜きによる文字等の表示が廻り灯籠のように映し出されて明瞭に見えるようにしてもよい。
【００１４】
または、上記ゴールゲート付近の滑降して来たスキーヤからよく見える場所に、入賞表示装置として、複数の表示部となる大型の１枚あるいは複数枚を列設したスクリーンと、そのスクリーンの各表示部上にそれぞれ一連の異なる数字，文字，記号あるいは絵を順次変化させて投影可能な複数の投影装置とから成る投影型表示装置を配備するようにしてもよい。この場合の投影装置としては、映写機，スライド映写機，ビデオ投影装置などを使用することができる。
【００１５】
さらに、上記スタートゲートに、コイン又はトークンの他に紙幣あるいはプリペードカードによる料金投入が可能な料金投入機を配備すると一層便利である。
【００１６】
【発明の実施の形態】
以下、この発明の実施の形態を図面に基づいて具体的に説明する。
図１はの発明によるスキーゲームシステムを設置したゲーム用滑降コース全体の鳥瞰図である。
【００１７】
この実施形態では、ゲーム用滑降コース１の全長（２００〜３００ｍ前後が適当）に亘り、両側に多数の旗竿２を立てて蛇行するゲーム用滑降コース１の境界を示す。そのスタート地点Ａには、ヒータ内蔵の寒冷地仕様で、防雪フード４ａ付きコイン／トークン投入機４を料金投入機として設置すると共に、図２に明示するように、それぞれ閉柵部材であるゲートバー３ａ及びバー開閉ユニット３ｂを装備した一対のゲートポール３ｃ，３ｃからなるスタートゲート３を設置する。バー開閉ユニット３ｂの構造例を図３に示すが、その説明は後述する。
【００１８】
一方、ゲーム用滑降コース１のゴール地点Ｂには、二本の支柱５ａ，５ａの下部を破線で示すように衝突危険防止用の防護ゴム５ｂ，５ｂで覆った門柱型ゴールゲート５を設置し、その上部に入賞表示装置６を積載している。
この入賞表示装置６は、例えば図４及び図５に示すように、複数（図示の例では３個）の表示部６ａ，６ｂ，６ｃを横に並べて列設し、その各表示部６ａ〜６ｃにそれぞれ数字，文字，記号あるいは絵（図示の例では数字）をスロットマシンのように順次変化させて表示する大型電光表示板６Ｄと、その周りに入賞時に点滅点灯して入賞を知らせる一色あるいは複数色のランプ等の点滅灯６Ｅを列設して構成したものである。
【００１９】
図では、大型電光表示板６Ｄの各表示部６ａ，６ｂ，６ｃを構成するマトリクス状に配列された多数の電光表示用ＬＥＤコンポーネント１６のうち、点灯しているものだけを小さい丸で示している。そして、図示の表示状態は、各表示部６ａ，６ｂ，６ｃにいずれも数字の「７」が表示された大当たり入賞の組み合である「７７７」が表示されている例を示している。
この入賞表示装置６を積載した門柱型ゴールゲート５の傍には、入賞者に報賞のメダル又はトークンを払い出すための防雪フード７ａ付きのメダル／トークン払出機７が設置される。
【００２０】
さらに、ゲーム用滑降コース１のスタート地点Ａからゴール地点Ｂに至る迄の途中の３箇所には、第１センサスタンド８Ａ，第２センサスタンド８Ｂ，及び第３センサスタンド８Ｃの３組のセンサスタンドが適当な間隔を置いて配置されている。その各センサスタンドは、周りが衝突危険防止用の防護ゴム８ｃで覆われた一対のスタンド８ａ，８ｂからなり、一方のスタンド８ａに設けた発光器８ｄと他方のスタンド８ｂに設けた受光器８ｅとがコース１の両側に相対して一組を成している。
【００２１】
そして、常時は発光器８ｄによって発光された光束が受光器８ｅで受光されているが、ゲーム参加のスキーヤ１０が一対のスタンド８ａ，８ｂ間を通過するとき、その光束がスキーヤ１０によって一時的に遮られるため、受光器８ｅが光束を受光しなくなり、出力する光電流が急減する。それによってスキーヤ１０の通過を感知して通過信号を後述する中央処理装置に発信する。
【００２２】
図２はスタートゲート３及び料金投入機である防雪フード４ａ付きコイン／トークン投入機４の正面図である。コイン／トークン投入機４は、コイン投入口４ｃとトークン投入口４ｔとを有し、これらの投入口４ｃ又は４ｔから、所定の料金に相当するコイン又はトークン４ｔが投入されたときに、それを判別してロック解除信号を出力する機能を備えており、そのロック解除信号を信号線１１を介してスタートゲート３の開閉ユニット３ｂへ送る。
【００２３】
このコイン／トークン投入機４に紙幣及び／又はプリペイドカードの挿入口とその判別器あるいは識別器を設け、紙幣及び／又はプリペイドカードによる料金投入も可能にした料金投入機を配備すると、スキーゲームの参加者がより利用しやすくなる。
【００２４】
スタートゲート３の開閉ユニット３ｂは、例えば図３に破線で囲んで示すように構成されている。すなわち、ゲートバー３ａは回転軸３１に回動自在に軸支された四半円形の支持板３０に基部を固着している。その支持板３０は、スプリング３２によって図３において右旋方向に付勢され、ストッパ３３に当接して係止され、閉柵部材であるゲートバー３ａを図示のように滑降コース１の入口を遮断する位置に保持し、マイクロスイッチ３４をオンにしている。
そして、プランジャ３５のピン３５ａが支持板３０の切欠部３０ａに突出してその左旋を阻止しているため、ゲートバー３ａを矢示Ｐ方向に押しても押し開らけないようにしている。
【００２５】
コイン／トークン投入機４にコイン又はトークンが投入されて、コイン／トークン投入機４からロック解除信号が入力すると、プランジャ３５が作動してピン３５ａを引っ込めるので、ゲートバー３ａのロックが解除されて開柵が可能になる。そこで、ゲーム参加者がゲートバー３ａを矢示Ｐ方向に押して通ると、ゲートバー３は支持板３０と共に回転軸３１を中心に従動的に回転して開き、ゲーム参加者は滑降コース１内に入ることができる。このときマイクロスイッチ３４がオフになり、それによって図示しない回路によりゲーム開始信号を後述する中央制御装置へ発信する。
【００２６】
ゲーム参加者が通過した後は、スプリングＳの付勢力によって支持板３０及びゲートバー３ａが右旋して元の位置に復帰し、マイクロスイッチ３４がオンになるとプランジャ３５を非作動にするため、そのピン３５ａが突出して再びゲートバー３ａをロックし、新しいゲーム参加者を迎える態勢に復する。
なお、このスタートゲート３はゲートバー３ａは左右に一対設けて両開き式になっているが、ゲートバー３ａを一方だけにした片開き式にすることもできる。
【００２７】
図６は、大型電光表示板６Ｄを構成する電光表示用ＬＥＤコンポーネント１６の単体の斜視図である。この電光表示用ＬＥＤコンポーネント１６は、円筒上のケース１６ａ内の発光面１６ｂに多数のＬＥＤ１６ｃがマトリクス状に配列されており、図示しない駆動回路によってそれぞれ選択的に駆動されて発光する。
このＬＥＤ１６ｃはイエロー，シアン，マゼンタに近い３色の異なる発光色のものが組み合わされて配列されており、カラー表示をすることもできる。
【００２８】
このような電光表示用ＬＥＤコンポーネントを多数使用した大型電光表示板は、野球場等で広く採用されており、昼間でも明るく数字，文字，記号，さらには動画を含む絵をも表示できるため、このスキーゲームシステムの入賞表示装置には最適である。
なお、この電光表示板には寒冷地対策としてヒータユニットを備えて、起動前にそれを発熱させて融雪するとともに、全ての電光表示用ＬＥＤコンポーネント１６のＬＥＤ１６ｃをフル点灯して、その発生熱も利用してゲームのスタート準備を整えるようにするとよい。
【００２９】
この電光表示用ＬＥＤコンポーネント１６は、入賞表示装置６の外周にも配列して、入賞時に点滅点灯する色とりどりの点滅灯６Ｅとしても使用できる。しかし、その点滅灯６Ｅは一色あるいは種々の異なる色に着色した電球でもよい。
【００３０】
図７は、図１に示した各センサスタンド８Ａ，８Ｂ，８Ｃの投光器８ｄの外観例を示す。その前面の内部に放電管発光器や赤外線発光器などの発光器８ｆを備えている。その光束を受光する受光器８ｅも同様な外観を呈しており、投光器８ｄと対向する前面の内部に光電管や赤外線センサ等の受光器を備えている。
なお、センサスタンド８Ａ，８Ｂ，８Ｃに取り付けるセンサとしては、このような光電式センサの外に、電磁波発振器と電波探知センサによる電磁式センサ等を使用することも可能である。
【００３１】
図８はこのスキーゲームシステムの電気的システム系統図であり、破線で囲んだ２０はゲレンデのスキーゲーム構内を示し、２１はその入口を、２２は出口を示している。
このスキーゲーム構内２０あるいは別の場所の空調された建物か事務室内に、パソコンをベースにした中央制御装置９が設置されている。
スタートゲート３に近接して配設されたコイン／トークン投入機４からの料金投入確認信号Ｓａはスタートゲート３に入力される。
【００３２】
中央制御装置９は、スタートゲート３からのゲーム開始信号Ｓｂ、ゲーム用滑降コース１の途中に設けられた第１センサスタンド８Ａ，第２センサスタンド８Ｂ，および第３センサスタンド８Ｃの各受光器８ｅによる通過信号Ｓｃ，Ｓｄ，Ｓｅをそれぞれ受信し、門柱型ゴールゲート５の上部に積載された入賞表示装置６の大型電光表示板６Ｄと多数の点滅灯６Ｅ、および報賞のメダル又はトークンを払い出すメダル／トークン払出機７に対して、それぞれ制御信号Ｓｐ，Ｓｑ，Ｓｒを出力し、このスキーゲームシステムの各部の一連の動作を制御して集中管理する。
【００３３】
図８において、中央制御装置９と各部を結ぶ矢印付の実線は、上記各信号を送受信するための信号線を表わしている。
この中央制御装置９は、スタートゲート３からゲーム参加者がゲートバー３ａを押し開いて通過した時に発信されるゲーム開始信号Ｓｂを受信すると、制御信号Ｓｐを出力して入賞表示装置６の大型電光表示板６Ｄの各表示部６ａ，６ｂ，６ｃの表示（この例では数字）をスロットマシンのように順次変化させる。
【００３４】
その後、各センサスタンド８Ａ，８Ｂ，８Ｃの各受光器８ｅから通過信号Ｓｃ，Ｓｄ，Ｓｅを受信する毎に、制御信号Ｓｐによって大型電光表示板６Ｄの各表示部６ａ，６ｂ，６ｃのの表示（数字）の変化を左から順次停止させて、最終のセンサスタンド８Ｃの受光器８ｅからの通過信号Ｓｅを受信した時に、全ての表示部６ａ，６ｂ，６ｃの表示変化を停止させる。
【００３５】
そして、その時の各表示部６ａ，６ｂ，６ｃの表示（数字）の組み合わせのデータを大型電光表示板６Ｄから受け取り、それを予め設定した入賞の数字の組み合せと照合し、一致した場合には所定の報賞のメダル又はトークンをメダル／トークン払出機７より払い出させる（入賞者が払い出し操作をした時に払い出せるように準備する場合も含む）。
また、その入賞時には制御信号Ｓｑを出力して、入賞表示装置６の周囲に列設された多数の点滅灯６Ｅを点滅点灯させて、ゲーム参加のスキーヤに入賞を知らせる。その多数の点滅灯６Ｅの発光色は一色でもよいが、複数の異なる発光色のものを組合わせて色とりどりに点滅させると一層華やかに入賞を知らせることができる。
【００３６】
さらに、入賞表示装置６内あるいはその近傍に、ファンファーレやチャイムあるいは音楽のような賑やかな音響を発生させる音響発生装置を設けておき、入賞時には多数の点滅灯６Ｅを色とりどりに点滅点灯させると同時に、その音響発生装置に賑やかな音響を発生させるようにしてもよい。それによって、入賞の雰囲気を一層盛り上げることができる。
【００３７】
そこで、このスキーゲームシステムによるスキーゲームに参加するスキーヤは、先ずスタート地点Ａで、コイン／トークン投入機４に所定のコイン又はトークンを投入すると、スタートゲート３のゲートバー３ａが開柵可能になるので、そのゲートバー３ａを押し開いてゲーム用滑降コース１内に入る。
このとき、スタートゲート３からゲーム開始信号が中央制御装置９に発信され、それによって門柱型ゴールゲート５の上部に配設されている入賞表示装置６である大型電光表示板６Ｄの各表示部６ａ，６ｂ，６ｃに表示される数字（文字，記号あるいは絵などでもよい）があたかも回転してるかのように変化する。
【００３８】
次いで、そのスキーヤ１０（図１参照））がコース１を滑降し、第１，第２，第３センサスタンド８Ａ，８Ｂ，８Ｃの間を順次通過する度に、各受光器８ｅがそれを感知して通過信号を発信し、中央制御装置９がそれを受信する度にゴールゲート５上の大型電光表示板６Ｄの各表示部６ａ，６ｂ，６ｃの変化している表示（数字）が左側から順次停止し、そのスキーヤ１０が最後のセンサスタンド４８Ｃを通過した時に全ての表示部の表示が停止する。
【００３９】
そして、大型電光表示板６Ｄにはそのスキーヤ１０が獲得した数字の組み合せが表示されることになり、その組合せが予め設定された入賞数字の組合せに的中した場合は、大型電光表示板６Ｄの周りを取巻く多数の点滅灯６Ｅが華やかに点滅点灯する。あるいはさらに賑やかな音響も発生される。
それによって、ゴールゲート５を通過するスキーヤ１０が入賞を知ることができる。そして、メダル／トークン払出機７から入賞等級あるいは入賞難易度に見合う所定数の報賞のメダル又はトークンが払い出されるので、それを受け取ってゲームを終了する。
【００４０】
図示の例は、各表示部に表示された３つの数字が「７７７」になった大当たりの組み合わせを示しているが、他の数字が全て揃った時もそれに次ぐランクの入賞にしたり、「１２３」のように連続する数字になった時や、「２５６」のような特定の数字の組み合わになった時も入賞にしてもよい。
また、この入賞表示装置６に表示するのは数字に限らず、文字（カタカナ，ひらがな，ローマ字，漢字など），記号（○×△□♯♭など），あるいは絵（イラストなど）でもよいし、それらを組み合わせてもよい。
【００４１】
入賞表示装置６の表示部の数（表示する数字等の数）は、３個に限るものではなく、複数であればよく、４個以上でもよい。また、各表示部が横一列に配列された例を示したが、この配列に限るものではなく、縦一列や複数列、円形や十字形、マトリクス状など種々の配列が可能である。
【００４２】
上述の実施形態では、ゲーム用滑降コース１の途中に３組のセンサスタンドを配設したが、入賞表示装置６の表示部の数が５個であればセンサスタンドの設置数もそれに合わせて５組とするように、表示部の数の応じてセンサスタンドの設置数を増減し、各センサスタンドによるスキーヤの通過信号によって各表示部の表示を順次停止させるようにすればよい。
【００４３】
あるいはまた、入賞表示装置６の表示部の数にかかわらず、ゲーム用滑降コース１の途中にセンサスタンドを１組だけ設置して、そのセンサスタンドによるスキーヤの通過信号を中央制御装置９が受信したとき、入賞表示装置６の各表示部の表示変化を全て一斉に停止させ、その時の表示の組み合わせによって、前述の実施形態の場合と同様に中央制御装置９が入賞の判定を行なうようにすることもできる。
【００４４】
次に、このスキーゲームシステムに使用する入賞表示装置の他の例を、図９乃至図１１によって説明する。なお、これらの図において、前述した実施形態における門柱型ゴールゲート５および入賞表示装置６と対応する部分には同一の符号を付している。
【００４５】
図９の(ａ)(ｂ)は、スロットマシンと同様な回転ドラム式入賞表示装置を積載した門柱型ゴールゲートの斜視図と側面図である。
この入賞表示装置６を構成する回転ドラム式入賞表示装置は、門柱型ゴールゲート６の上部に、各々独立して回転し、その外周面にそれぞれ一連の異なる数字（文字，記号あるいは絵でもよい）を表記した大型の回転ドラム２６を複数個（図示の例では３個）横に並べて配設して各表示部を構成しており、その上部を覆うように雪よけの屋根を設けている。また、その左右両側に入賞を表示する発光色が同じかあるいは異なる多数の点滅灯を列設している。
【００４６】
そして、各回転ドラム２６は、図９の（ｂ）に示すように、門柱型ゴールゲート６の一対の支柱５ａ，５ａ間に略水平に支持された共通の固定シャフト２８にベアリング２９を介してそれぞれ回転自在に軸支され、各々プーリ３０及びベルト３１を介してモータ３２によって独立して回転される。
【００４７】
また、前述の中央制御装置９からの制御信号によって各回転ドラム２６の回転を停止させるとき、モータ３２をオフにしただけでは速やかに停止しないので、電磁ブレーキ３３を設けている。
さらに、その各回転ドラムの外周の数字等を所定位置で鮮明に表示させ且つ夜間のゲームでも、ゲーム参加のスキーヤ１０にその表示がよく見えるように、それぞれ照明灯２７を設けてライトアップしている。
そして、各回転ドラム２６の回転を停止させる際には、その表面の数字のいずれかが照明灯２７によってライトアップされる所定の表示位置で停止するように、図示を省略しているが割り出し板とマイクロスイッチあるいは光電センサ等による回転位置検出手段からの信号によって電磁ブレーキ３３を作動させるようにするとよい。それによって、全ての回転ドラム２６が停止した時に表示される各数字が横一列に並ぶようになる。
【００４８】
図１０の(ａ)(ｂ)は、廻り灯籠式の回転ドラム型入賞表示装置を積載した門柱型ゴールゲートの斜視図と側面図である。
この入賞表示装置６を構成する回転ドラム式入賞表示装置も、上述の回転ドラム型入賞表示装置と類似した構造を有するが、各表示部を構成するドラムが内側の回転ドラム３６とその外側の固定ドラム３７とからなる。
【００４９】
各回転ドラム３６は、前述の回転ドラム２６と同様に図１０の(ｂ)に示すように、共通の固定シャフト２８にベアリング２９を介してそれぞれ回転自在に軸支され、各々プーリ３０及びベルト３１を介してモータ３２によって独立して回転される。そして、これらの各回転ドラム３６には、その外周面に沿ってそれぞれ一連の異なる数字（文字，記号あるいは絵でもよい）が打ち抜きによって形成されている。
【００５０】
外側の各固定ドラム３７には、滑降コース１を滑降してくるゲーム参加のスキーヤ１０からよく見える所定の表示位置に窓孔３８を設けてあり、内側の回転ドラム３６が停止したとき、その表面に打ち抜かれた数字等がその窓孔３８を通してゲーム参加のスキーヤ１０から看取されるようになっている。この場合には、各回転ドラム３６の打ち抜きによって形成された数字等が各固定ドラム３７の窓孔３８内に位置する状態で各回転ドラム３６を停止させるために、電磁ブレーキ３３を各回転ドラム３６の内側に設けている。
【００５１】
さらに、各回転ドラム３６内の中心部には、強い光を固定ドラム３８の窓孔３８の方向に照射する発光体３９が固定されており、この光が内側ドラムの打ち抜き部を通して外部に透過し、各表示部の数字灯の表示を鮮明に行なえる。したがつて、特に夜間のゲームに適する。その他の構成は図９に示したものと同様であるから、説明を省略する。
なお、これらの図９あるいは図１０に示した入賞表示装置においても、た門柱型ゴールゲート５の各支柱の下部は、衝突危険防止用の防護ゴムで覆う必要があるが、図示を省略している。
【００５２】
図１１は、門柱型ゴールゲートとその近傍に設置された投影型入賞表示装置及びコイン／トークン払出機の斜視図である。
この実施形態においては、門柱型ゴールゲート５の上部には入賞表示装置を積載せず、「ＧＯＡＬ」と大きく表示したゴール表示板５ｄを取り付けている。
【００５３】
そして、この門柱型ゴールゲート５の近傍の滑降してくるゲーム参加のスキーヤ１０からよく見える場所に、入賞表示装置６として、表示スタンド４０を立設し、その上部に大型のスクリーン４６を設けると共に、そのスクリーン４６上の各表示部となる異なる位置にそれぞれ一連の異なる数字（文字，記号あるいは絵でもよい）を順次変化させて投影可能な３台の投影装置４２ａ，４２ｂ，４２ｃを配設している。
【００５４】
大型スクリーン４６は、白色系統の金属板かプラスチックシートが好ましく、表示スタンド４０の支柱間に張設され、そのスクリーン４６の外周には入賞表示用の発光色が同一あるいは異なる多数の点滅灯６Ｅが列設されている。
このスクリーン４６は１枚の横長の長方形のものでもよいが、個々に各表示部をなす横に三分割された３枚のスクリーンによって構成してもよい。
【００５５】
そして、このスクリーン４６の各表示部に対して各々１台づつの投影装置（図示の例ではエンドレスフイルムを装填した映写機）４２ａ，４２ｂ，４２ｃが相対して設置され、エンドレスフイルムの回動などによってその各投影数字を順次変化させているが、ゲーム参加のスキーヤ１０が第１，第２及び第３のセンサスタンド間を順次通過する度に、その各投影装置４２ａから４２ｂ，４２ｃへと順次その投影数字の変化を止めていく。
【００５６】
スクリーン４６に映し出された全ての数字が停止したときに、その数字の組み合わせが所定の入賞の組み合せと一致すれば、入賞表示用の色とりどりの点滅灯が点滅点灯し、報賞メダル／トークン払出機から入賞等級乃至入賞難易度に応じた数量のメダル／トークンの払い出しが受けられる。
なお、３台の映写機等の投影装置４２ａ，４２ｂ，４２ｃは寒冷地対策用の保温ボックス４１の中に設置される。投影装置としては映写機に代えて、エンドレスの回転式フイルム送り装置を備えたスライド映写機や、ビデオ投影装置などを使用することもできる。
【００５７】
入賞表示装置としては、これらのものに限られることはなく、複数の表示部に一連の数字，文字，記号あるいは絵を順次変化させて表示できる大型の表示装置であれば、どのようなものでも使用可能である。
【００５８】
【発明の効果】
以上説明してきたように、この発明によるスキーゲームシステムをスキー場に設置すれば、スキー場経営は従来のスキー客をリフト等で高所に運び上げて滑降させ、スキー技術の向上に資する施設を提供するだけのものから、報賞を伴なう射幸性と娯楽性に富むスキーゲームを行なう場を提供することによって、スキー技術向上の外にも楽しみを多様化し、経営的にも営業品目が増加し、顧客の増加と収益の向上を図ることができる効果がある。
【図面の簡単な説明】
【図１】この発明の実施の形態の一例としてスキーゲームシステム全体を説明するための鳥瞰図である。
【図２】図１に示したスタートゲート３とコイン／トークン払出機４の正面図である。
【図３】図２に示したゲートバー３のバー開閉ユニット３ａの内部構造の一例を示す平面図である。
【図４】図１に示した入賞表示装置６を積載した門柱型ゴールゲート５の正面図である。
【図５】同じくその入賞表示装置６を構成する大型電光表示板６Ｄの正面図である。
【図６】図５に示した大型電光表示板６Ｄを構成する一個の電光表示用ＬＥＤコンポーネントの斜視図である。
【図７】図１に示したゲーム用滑降コース１の途中に配設されるセンサスタンドに装着される投光器の斜視図である
【図８】このスキーゲームシステムを構成する電気的システム系統図である。
【図９】この発明に使用する入賞表示装置の他の例を示す斜視図及び側面図である。
【図１０】この発明に使用する入賞表示装置のさらに他の例を示す斜視図及び側面図である。
【図１１】この発明に使用する門柱型ゴールゲートおよび入賞表示装置のさらに他の例を示す斜視図である。
【符号の説明】
１：ゲーム用滑降コース    ２：旗竿
３：スタートゲート    ３ａ：ゲートバー
３ｂ：バー開閉ユニット    ３ｃ：ゲートポール
４：コイン／トークン投入機（料金投入機）
５：門柱型ゴールゲート    ６：入賞表示装置
６ａ，６ｂ，６ｃ：表示部    ６Ｄ：大型電光表示板
６Ｅ：入賞表示用の点滅灯
７：報賞のメダル／トークン払出機
８Ａ，８Ｂ，８Ｃ：センサスタンド    ８ｄ：投光器
８ｅ：受光器    ９：中央制御装置
１０：ゲーム参加のスキーヤ
１６：電光表示用ＬＥＤコンポーネント
２０：ゲレンデのスキーゲーム構内
２６：大型回転ドラム    ２７：照明灯
３６：回転ドラム    ３７：固定ドラム
３８：窓孔    ３９：発光体
４０：表示スタンド    ４１：保温ボックス
４２ａ，４２ｂ，４２ｃ：投影装置
４６：大型のスクリーン
【図１】
0003844545.tif 000002
【図２】
0003844545.tif 000003
【図３】
0003844545.tif 000004
【図４】
0003844545.tif 000005
【図５】
0003844545.tif 000006
【図６】
0003844545.tif 000007
【図７】
0003844545.tif 000008
【図８】
0003844545.tif 000009
【図９】
0003844545.tif 000010
【図１０】
0003844545.tif 000011
【図１１】
0003844545.tif 000012